(57)【特許請求の範囲】
【請求項１】
ＬＥＤ光源と、
該ＬＥＤ光源を覆い隠すように配置した半透明のシェードと、
該シェードと対峙させて配置した反射板と、
を備える照明装置であって、
前記ＬＥＤ光源は、前記シェードの先端部内側に、シェード側とは反対側の照明目標に光軸を向けて配置され、
前記反射板は、前記ＬＥＤ光源から漏れる漏れ光を前記シェードに向けて反射し、且つ、前記ＬＥＤ光源を挟んで前記シェードと対峙するように配置されることを特徴とする照明装置。
【請求項２】
前記漏れ光は、前記ＬＥＤ光源の１／２ビーム角の外側に放射される光である請求項１に記載の照明装置。
【請求項３】
前記反射板の先端部を、前記ＬＥＤ光源方向に向けた請求項１又は２に記載の照明装置。
【請求項４】
前記ＬＥＤ光源方向に向けた前記反射板の先端部を、前記ＬＥＤ光源から前記照射目標に向かう照射光の一部が反射可能な位置まで延設する請求項３に記載の照明装置。
【請求項５】
前記ＬＥＤ光源が、複数のＬＥＤ素子を光透過性カバーで覆って一体化した棒状の照明モジュールであり、前記反射板の先端部を、前記照明モジュールの前記カバーに接触させる構成とした請求項３又は４に記載の照明装置。
【請求項６】
前記反射板から前記シェードに向かう反射光の反射空間を密閉空間とした請求項５に記載の照明装置。
【請求項７】
前記反射板は、シェード側とは反対側に凸の曲面形状とした請求項１〜６のいずれか１つに記載の照明装置。
【請求項８】
前記反射板は、反射率及び拡散反射率の高い反射面を有する請求項１〜７のいずれか１つに記載の照明装置。
【請求項９】
商品陳列用の棚を架設した陳列室を有するショーケースに取付ける請求項１〜８のいずれか１つに記載の照明装置。
【発明の詳細な説明】
【技術分野】
【０００１】
本発明は、ＬＥＤ光源を用いた照明装置に関し、より詳しくは、照射目標に向けられたＬＥＤ光源から漏れる漏れ光を利用して半透明のシェードを照明する照明装置に関する。
【背景技術】
【０００２】
スーパーマーケットやコンビニエンスストア等に設置されるショーケースでは、商品を陳列した庫内とシェードを照らすように照明装置が設けられている。近年、この種の照明装置として、省エネルギーの観点から、蛍光灯に代えてＬＥＤ光源を使用することが試みられている。ＬＥＤ光源の場合、その指向性が高いために、シェードを照らすＬＥＤ光源と庫内を照らすＬＥＤ光源をそれぞれ配置することが考えられるが、部品数の増加等によりコストがかかる。
かかる問題を解消するため、例えば特許文献１に記載されたＬＥＤ照明装置が提案されている。特許文献１に記載された照明装置は、指向性を有するＬＥＤ光源で庫内とシェードの双方を照らすために、双方向レンズを取り付けたＬＥＤ照明装置を、互いに対峙するシェードと反射板との間に配置し、ＬＥＤ光源からの光を双方向レンズにより二方向に指向させ、一方は反射板へ向けて指向させて反射板で反射させてシェードを照射し、もう一方は庫内へ向けて指向させて庫内の商品等を直接照射することで、シェードと庫内の両方を照らすようにしている。
【先行技術文献】
【特許文献】
【０００３】
【特許文献１】特開２０１０−８８５９６号公報
【発明の概要】
【発明が解決しようとする課題】
【０００４】
ところで、ＬＥＤ照明装置からの光量を単純に２分（シェード側：庫内側＝１：１）すると、本来の照射目標である庫内側の最大必要光量に合わせるため、シェード側の光量が過剰となってしまいエネルギーの無駄が生じる。特許文献１に記載されたＬＥＤ照明装置のように、双方向レンズを用いてＬＥＤ光源からの光を２方向に分割させる場合、光量比率の異なる専用レンズの使用により光量を調整（シェード側：庫内側＝１：２）してシェード側と庫内側へ最適な光量を配分することは可能であるが、ショーケースに応じて光量比率の異なる専用レンズの設計が必要となり、コストアップとなる。
【０００５】
本発明は上記問題点に着目してなされたもので、ＬＥＤ光源の照射目標に向かう照射光の外側に漏れる漏れ光をシェードの照明に有効利用することで、照射目標とシェードの両方を適切な明るさで照らすことができる照明装置を提供することを目的とする。
【課題を解決するための手段】
【０００６】
このため、本発明の照明装置は、ＬＥＤ光源と、該ＬＥＤ光源を覆い隠すように配置した半透明のシェードと、該シェードと対峙させて配置した反射板と、を備える照明装置であって、前記ＬＥＤ光源は、前記シェードの先端部内側に、シェード側とは反対側の照明目標に光軸を向けて配置され、前記反射板は、前記ＬＥＤ光源から漏れる漏れ光を前記シェードに向けて反射し、且つ、前記ＬＥＤ光源を挟んで前記シェードと対峙するように配置されることを特徴とする。
【発明の効果】
【０００７】
本発明の照明装置によれば、シェードの先端部内側にシェード側とは反対側の照明目標に光軸を向けて配置されたＬＥＤ光源から漏れる漏れ光をシェードに向けて反射し、且つ、ＬＥＤ光源を挟んでシェードと対峙するように、反射板を配置する構成としたので、ＬＥＤ光源の直接光によって照射目標を適切な明るさで照らすと共に、照射目標の照明に寄与しなかったＬＥＤ光源の漏れ光を利用してシェードを適切な明るさで照らすことができる。従って、ＬＥＤ光源の光の利用効率を高めることができ、延いては、省電力化を図ることができる。
【図面の簡単な説明】
【０００８】
【図１】本発明の照明装置の一実施形態を適用したショーケースの例を示す斜視図。
【図２】図１のショーケースの側面図。
【図３】図２のＡ部の拡大図。
【図４】同上実施形態の照明装置の構成図。
【図５】ＬＥＤ光源における１／２ビーム角の説明図。
【図６】反射板の別の形状例を示す図。
【図７】図６に続く反射板の別の形状例を示す図。
【図８】本発明の別の実施形態を示す図。
【図９】双方向レンズ付きＬＥＤ光源の場合の別の構成例を示す図。
【発明を実施するための形態】
【０００９】
以下、本発明の実施形態を図面に基づいて説明する。
図１〜図３は、本発明の照明装置の一実施形態を適用したショーケースの例を示す図で、図１は斜視図、図２は図１の側面図、図３は図２のＡ部の拡大図である。
このショーケース１は、例えばスーパーマーケットやコンビニエンスストア等に設置される、前面及び側面が開口されたオープンタイプのショーケースである。
【００１０】
図に示すように、オープンショーケース１は、天井部２、背面部３及び底部４を有し前面（顧客側、売場側）と両側面が開口した矩形状の本体５を備える。本体５の天井部２と底部４との間の空間に陳列室６が形成され、複数の陳列棚７が上下方向にブラケット８を介して背面部３の内側パネル３ａに架設されている。背面部３の内側パネル３ａ両端部近傍には、ブラケット８の基端が着脱自由に係合される係合孔９が上下方向に複数穿設されており、陳列する商品の高さ等に合わせて陳列棚７の位置を変えられるようになっている。
【００１１】
天井部２、背面部３及び底部４の内部には、図示しないが冷気循環ダクトが形成され、底部４の冷気循環ダクトに、冷凍回路の蒸発器と蒸発器用ファンが配設されている。尚、冷凍回路の凝縮器、凝縮器用ファン及び圧縮機等は、図示しない別置き機械室に配設されている。天井部２の前部には、冷気循環ダクト５からの冷気を吐出する下向きに開口した吐出口１０が形成され、底部４の前部には、上向きに開口した吸込口１１が形成されており、吐出口１０から吹き出された冷気は、吸込口１１から冷気循環ダクト内に取り入れられ、陳列室６の前面開口に冷気のエアカーテンを形成する。
【００１２】
図３に示すように、天井部２の外側パネル２ａの前端には、前面側（顧客側、売場側）に凸状に湾曲した半透明板からなるシェード１２が取り付けられている。シェード１２の先端部内側には、ブラケット１３を介してＬＥＤ光源１４が、シェード１２によって覆い隠されるように取り付けられている。
【００１３】
前記ＬＥＤ光源１４は、図４に示すように、基板１４Ａ上に所定の間隔を設けて複数のＬＥＤ素子１４Ｂを図４の奥方向に整列して形成した発光部、光透過性（透明又は乳白色）のカバー１４Ｃで覆って一体化した棒状に形成された照明モジュールである。ＬＥＤ光源１４は、その光軸（図４の矢印Ｘで示す）を、シェード１２側とは反対側の照射目標である陳列室６前面の商品群（図示せず）に向けて配置されている。具体的には、ＬＥＤ光源１４の１／２ビーム角（光度が最大光度の１／２になる角度）範囲の直接光が図４に斜線で示すように照明板１６及び陳列室６前面の商品に照射するように配置されている。図５は、ＬＥＤ光源１４の指向特性の一例を示したもので、この場合の１／２ビーム角は６０度であることを示している。
尚、ＬＥＤ光源としては、配光制御手段（配光制御用レンズ）を設けずＬＥＤ素子を露出させたような配光制御していないＬＥＤ照明でもよく、また、カバーのＬＥＤ素子前面部分に配光制御用レンズを設けてＬＥＤ光源の１／２ビーム角を絞る構成としたものでもよい。
【００１４】
図４に示すように、ＬＥＤ光源１４を挟んでシェード１２と対峙するように反射板１５が配置されている。前記反射板１５は、反射率及び拡散反射率の高い反射面を有する例えば白色の微細発砲ＰＥＴシートで形成され、シェード１２側から吐出口１０側に斜め下方に延びる照明板１６の上端部に当接して取り付けられている。尚、高い反射率及び拡散反射率を有し反射板に好適な素材の他の例としては、例えばアクリル素材やポリカーボネート素材が挙げられる。また、反射板１５は、多角形状に折曲形成され、上端部はシェード１２に当接し下端部１５ａはＬＥＤ光源１４に向けてＬＥＤ光源１４近傍まで延設されており、ＬＥＤ光源１４から漏れる図４に太矢印で示す漏れ光を外部に逃がすことなくシェード１２に向けて反射する。尚、反射板１５は、微細発砲ＰＥＴシートに限らず、ステンレス鋼等の金属製としても良い。金属製の場合は、鏡面反射に近く（又は鏡面反射）になるため後述するように反射板形状を曲面形状により近く（又は曲面形状に）することが望ましい。ここで、前記漏れ光とは、ＬＥＤ光源１４の１／２ビーム角の外側に放射される光である。
【００１５】
また、反射板１５で反射されてシェード１２に向かう反射光の反射空間、即ち、シェード１２と反射板１５との間の空間は、図３に示すようにパネル１７で塞がれており、反射板１５による反射光が前記反射空間の両側方からも漏れないように略密閉空間としている。ＬＥＤ光源１４のＯＮ／ＯＦＦ用スイッチ１８が、照明板１６に取り付けられている。尚、パネル１７を取り付けず、前記反射空間の側面が開口していてもよい。
【００１６】
本実施形態の照明装置では、図４に示すようにＬＥＤ光源１４の光軸Ｘは、照明板１６とショーケース１の陳列室６方向に向けられているので、図４に斜線で示すようにＬＥＤ光源１４の直接光の照射によって、ショーケース１の陳列室６の前面が明るく照らされる。一方、図４の太矢印で示すようにＬＥＤ光源１４の側方から図４に斜線領域の外側に漏れる漏れ光は、反射板１５によってシェード１２側に反射されてシェード１２を明るく照らす。
【００１７】
このように、本実施形態の照明装置によれば、従来、照射目標であるショーケース１の陳列室６側の照明に寄与しなかった漏れ光をシェード１２の照明に利用するので、ショーケース１の陳列室６側をＬＥＤ光源１４の直接光で適切な明るさで照らすと共に、シェード１２側を従来無駄に放射されていたＬＥＤ光源１４の漏れ光によって適切な明るさで照らすことができるようになる。また、反射板１５で反射した反射光でシェード１２を照らすので、ＬＥＤ光源１４のＬＥＤ素子１４Ｂの各々の色味のバラツキが緩和されてシェード１２の色ムラを軽減できる。
【００１８】
上記実施形態では、反射板１５の形状を多角形状としたが、この形状に限るものではないことは言うまでもない。図６及び図７に反射板１５の種々の形状例を示す。
図６（Ａ）の反射板１５は、単純な平板形状で、シェード１２の上端部からＬＥＤ光源１４近傍まで垂下する構成である。同図（Ｂ）の反射板１５は、（Ａ）の平板形状で下端部１５ａをＬＥＤ光源１４方向に向けて折曲する構成である。かかる構成では、単に垂下した（Ａ）の構成に比べてＬＥＤ光源１４と反射板１５との間から照射板１６方向に漏れる光の一部をシェード１２側に反射させることができる。同図（Ｃ）の反射板１５は、下端部１５ａを更に延設してＬＥＤ光源１４のカバー１４Ｃに接触させている。かかる構成では、ＬＥＤ光源１４の側方から照射板１６方向に漏れる光の全てをシェード１２側に反射させることができる。同図（Ｄ）は、シェード１２に当接させる反射板１５の上端部位置を、（Ａ）〜（Ｃ）の場合よりもシェード１２の前面側に位置させる構成である。かかる構成では、照らす必要性の少ないシェード１２の上面部への反射光照射が無くなるので、反射板１５の無駄な照射を無くすことができる。
【００１９】
図７（Ｅ）の反射板１５は、図４の実施形態と同様の多角形状でその下端部１５ａをＬＥＤ光源１４のカバー１４Ｃに接触させる構成である。図７（Ｆ）の反射板１５は、シェード１２側とは反対側に凸の曲面形状としてその下端部１５ａをＬＥＤ光源１４のカバー１４Ｃに接触させる構成である。かかる構成では、反射板１５としてステンレス鋼等の鏡面反射となる金属材料を使用した場合でも、シェード１２の輝度ムラが生じ難くなる。図７（Ｇ）の反射板１５は、平板形状でその下端部１５ａを、ＬＥＤ光源１４から照射目標である陳列室６側に向かう照射光の一部が反射可能な位置まで、即ち、ＬＥＤ光源１４の前面の一部とオーバーラップする位置まで延設する構成である。かかる構成では、照射目標である陳列室６側に向けた照射光の一部をシェード１２の照明光として利用できるので、ＬＥＤ光源１４前面にオーバーラップさせる反射板１５の下端部１５ａのオーバーラップ量を変えることにより、陳列室６側を照射する光量とシェード１２側を照射する光量を調節することが可能となる。
尚、図７（Ｈ）に示すように、照明板１６の折曲部分（図のＢ部）を鈍角で折曲するようにすれば、照明板１６の折曲部分にも直接光が照射するようになり、折曲部分における影の影響を軽減できる。図中の１３′は、ＬＥＤ光源１４をシェード１２に取り付けるための前述とは別形状のブラケットである。
【００２０】
図８は、本発明の別の実施形態を示し、特開２０１０−８８５９６号公報に記載された双方向レンズを取り付けたＬＥＤ光源の場合の例である。
図８において、双方向レンズを取り付けたＬＥＤ光源１４′を覆い隠すように配置されたシェード１２′と対峙して配置された反射板１５′は、下端部１５ａ′をＬＥＤ光源１４′に向けて折曲し双方向レンズにおけるレンズ間の谷部分に向けて延設し、上端部１５ｂは、シェード１２′の上端部分に当接させて構成する。
【００２１】
かかる構成では、双方向レンズにより二方向に指向されたＬＥＤ光源１４′の光の一方は反射板１５′へ向けられて反射板１５′で反射してシェード１２′を照らし、他方は照射目標であるショーケースの陳列室側に向けられて陳列室側を直接照らす。更に、双方向レンズのレンズ間領域に放射される漏れ光が、反射板１５′の折曲した下端部１５ａによってシェード１２′側に反射する。従って、本実施形態によれば、ＬＥＤ光源１４′からの直接光に加えて漏れ光の反射光もシェード１２′の照明に利用できるので、シェード１２′を明るくできる。また、シェード１２′を従来と同じ明るさとすれば、双方向レンズにより反射板１５′からに指向させる光の光量を抑えることができ、その分陳列室側に向ける光の光量を増やすことができる。
【００２２】
図９は、双方向レンズを取り付けたＬＥＤ光源１４′の場合の別の構成例を示す図である。図９において、シェード１２に取り付けたＬＥＤ光源１４′の双方向レンズにおけるレンズ間の谷部分に反射板１５の下端部１５ａ′を延設する構成である。また、照明板１６の折曲部分を鈍角で折曲する構成である。かかる構成では、図８の構成と同様の作用効果に加えて、図７（Ｈ）と同様、照明板１６の折曲部分にも直接光が照射するようになり、折曲部分における影の影響を軽減できる。
【００２３】
上記実施形態では、本発明の照明装置をオープンショーケースに適用した例を説明したが、前面がガラス等の透明板で画成されるリーチインやウォークイン等のクローズドタイプのショーケースにも適用できる。また、照明装置、シェードを、縦方向に配置したり、陳列室の下端部側に配置したりするオープンタイプのショーケースにも適用可能である。
【００２４】
また、ショーケースに限らず、照射目標とシェードの二方向を、同一の光源を用いて照らす構成のものであれば、どのようなものでも本発明の照明装置を適用することができることは言うまでもない。
【符号の説明】
【００２５】
１    ショーケース
６    陳列室
７    陳列棚
１２、１２′    シェード
１４、１４′    ＬＥＤ光源
１４Ａ    基板
１４Ｂ    ＬＥＤ素子
１４Ｃ    カバー
１５、１５′    反射板
Ｘ    ＬＥＤ光源の光軸
【図１】
0005944217.tif 000002
【図２】
0005944217.tif 000003
【図３】
0005944217.tif 000004
【図４】
0005944217.tif 000005
【図５】
0005944217.tif 000006
【図６】
0005944217.tif 000007
【図７】
0005944217.tif 000008
【図８】
0005944217.tif 000009
【図９】
0005944217.tif 000010